(57)【要約】【課題】本発明は、配光の調整が簡単にできる照明装置を提供することを課題とする。  また、容易且つ迅速に取り付けることができる照明装置を提供することを課題とする。【解決手段】本発明は、長尺状の蛍光ランプ５を備えた照明装置本体２と、前記照明装置本体の両端部に、照明装置本体に対して相対回転自在に設けられたエンドキャップ３、３とを備え、前記照明装置本体とエンドキャップとの間には、照射光の配光調整が可能なように前記照明装置本体とエンドキャップとを所定の相対位置で解除自在に固定する調整手段が設けられ、しかも、エンドキャップは、床等の載置面４０に置いたり、壁や天井等の被取付面に取り付けたり可能な複数の面３０ａ〜３０ｈを周方向に有するように、断面形状が非円形に形成されていることにある。【選択図】  図１
2008251231.tif 000002
【特許請求の範囲】
【請求項１】
長尺状の蛍光ランプを備えた照明装置本体と、前記照明装置本体の両端部に、照明装置本体に対して相対回転自在に設けられたエンドキャップとを備え、前記照明装置本体とエンドキャップとの間には、照射光の配光調整が可能なように前記照明装置本体とエンドキャップとを所定の相対位置で解除自在に固定する調整手段が設けられ、しかも、エンドキャップは、床等の載置面に置いたり、壁や天井等の被取付面に取り付けたり可能な複数の面を周方向に有するように、断面形状が非円形に形成されていることを特徴とする照明装置。
【請求項２】
前記照明装置本体は、前記蛍光ランプおよび反射板を保持する保持体と、蛍光ランプ、反射板およびを保持体が内蔵される透明筒状のカバーとを備え、前記エンドキャップは筒状に形成されるとともに、前記エンドキャップの両端部に相対回転自在に嵌合されている請求項１に記載の照明装置。
【請求項３】
前記エンドキャップは、前記カバー内に内蔵されているインバータに接続されたコードが出される開口が複数箇所に設けられている請求項２に記載の照明装置。
【請求項４】
前記エンドキャップに形成された開口からドライバー等の工具を、エンドキャップ内に挿入し、工具により固定具を操作して前記エンドキャップを被取付面に固定する構成である請求項３に記載の照明装置。
【発明の詳細な説明】
【技術分野】
【０００１】
本発明は、蛍光ランプを備えた照明装置に関する。
【背景技術】
【０００２】
従来、長尺状の蛍光ランプを使用した照明装置（直管ランプのベースライト）は、箱型のインバータが内蔵された器具本体を有し、この器具本体の両側には、ソケットが取り付けられ、これらソケットに蛍光ランプが装着されている（例えば、特許文献１参照）。
【０００３】
また、図１５に示すような従来の蛍光ランプ１０１を使用した照明装置１００は、天井や壁面等の被取付面に取り付けられるのが一般的であり、かかる照明装置１００を被取付面に取り付ける周知な構造を図１３に示す。同図に示す如く、取付プレート１０２をねじ１０３で被取付面に予め固定する。この取付プレート１０２の前方には、一対の取付ボルト１０５が前方に突設されている。
【０００４】
かかる取付ボルト１０５を照明装置１００の器具本体１０６に挿通し、ローレットナット１０７をこの取付ボルト１０５に締結することにより、照明装置１００を被取付面側に取り付けていた。
【０００５】
また、図１４に示すように器具本体１０６には反射板１０８が設けられており、照射光の方向（配光）はこの反射板１０８で調整していた。
【特許文献１】特開２００４−３４９２０８号公報
【発明の開示】
【発明が解決しようとする課題】
【０００６】
従来の照明装置１００は、箱型の器具本体１０６の上に蛍光ランプ１０１があり、配光は反射板１０８の角度で調整するという器具で、一旦照明装置１００を被取付面側に取り付けると、配光の調整が簡単に変更できなかった。
【０００７】
また、従来の照明装置１００は、壁付けにも対応できるが、取付プレート１０２を壁に取り付けた後に、器具本体１０６を取り付けるものであったため、照明装置１００を容易に取り付けることができなかった。
【０００８】
本発明は、配光の調整が簡単にできる照明装置を提供することを第１の課題とする。
【０００９】
また、容易且つ迅速に取り付けることができる照明装置を提供することを第２の課題とする。
【課題を解決するための手段】
【００１０】
本発明は、前記課題を解決するためになされたもので、その特徴は、長尺状の蛍光ランプを備えた照明装置本体と、前記照明装置本体の両端部に、照明装置本体に対して相対回転自在に設けられたエンドキャップとを備え、前記照明装置本体とエンドキャップとの間には、照射光の配光調整が可能なように前記照明装置本体とエンドキャップとを所定の相対位置で解除自在に固定する調整手段が設けられ、しかも、エンドキャップは、床等の載置面に置いたり、壁や天井等の被取付面に取り付けたり可能な複数の面を周方向に有するように、断面形状が非円形に形成されていることにある。
【００１１】
前記本発明は、エンドキャップを床等の載置面に置いた場合には、照明装置を転がすことにより、照射方向を変更できる。また、エンドキャップを壁や天井等の被取付面に取り付けた場合には、被取付面に固定されたエンドキャップに対して照明装置本体を回転させることにより、照射方向を変更でき、配光の調整が簡単にできる。
【００１２】
本発明の前記照明装置本体は、前記蛍光ランプおよび反射板を保持する保持体と、蛍光ランプ、反射板およびを保持体が内蔵される透明筒状のカバーとを備え、前記エンドキャップは筒状に形成されるとともに、前記エンドキャップの両端部に相対回転自在に嵌合されている。
【００１３】
本発明の前記エンドキャップは、前記カバー内に内蔵されているインバータに接続されたコードが出される開口が複数箇所に設けられている。そして、コードを適宜所定の開口から出して電源側に接続する。
【００１４】
本発明の前記エンドキャップに形成された開口からドライバー等の工具を、エンドキャップ内に挿入し、工具により固定具を操作して前記エンドキャップを被取付面に固定する構成である。
【００１５】
かかる場合には、エンドキャップを照明装置本体から取り外すことなく、工具で直接エンドキャップを壁や天井等の被取付面に固定でき、照明装置を容易且つ迅速に取り付けることができる。
【発明の効果】
【００１６】
本発明は、照明装置本体を回転させることにより、配光の調整が簡単にできる。しかも、エンドキャップに形成形成された開口からドライバー等の工具を、エンドキャップ内に挿入し、工具により固定具を操作して前記エンドキャップを被取付面に固定する構成であるため、照明装置を容易且つ迅速に取り付けることができる。
【発明を実施するための最良の形態】
【００１７】
以下、本発明の実施の形態について、図面を参照しながら説明する。
【００１８】
図１〜図１２は本発明の実施の形態の照明装置を示し、照明装置１は、図１〜図４に示すように、長尺状の照明装置本体２と、この照明装置本体２の両端に設けられた一対の有低筒状のエンドキャップ３，３とから構成されている。
【００１９】
前記照明装置本体２は、両端部にソケット７，７が装着された長尺状の外部電極蛍光ランプ（ＥＥＦＬ）５と、この外部電極蛍光ランプ５およびソケット７、７を保持する保持体８、８と、反射板１０と、カバー１１とを備えている。
【００２０】
前記外部電極蛍光ランプ５は、管状のガラスバルブからなる蛍光ランプの両端外周に、外部電極がそれぞれ設けられた周知のものである。そして、各外部電極がソケット７，７に装着される。
【００２１】
前記保持体８は、帯状の平板材から形成されている。この保持体８の前面側の両端部には、バネ板材からなるソケット固定バネ１２が設けられ、各ソケット固定バネ１２は、弾性力によりソケット７を着脱自在に挟持している。
【００２２】
前記カバー１１は、中空の樹脂押出しにより製造されてなる長尺状で且つ透明の円形筒状体からなる。このカバー１１の内周面で且つ直径方向の両側には、係合部１３がそれぞれ設けられている。この係合部１３は所定の間隔を有する一対の凸条１３ａ、１３ｂが、カバー１１の長手方向の全長にわたって設けられたもので、この一対の凸条１３ａ、１３ｂ間に前記保持体８の両端縁が嵌合され、保持体８はカバー１１内で固定されている。
【００２３】
前記反射板１０は、断面形状が円弧状に形成されており、外部電極蛍光ランプ５の背面側の照射光を前方側に反射するように、外部電極蛍光ランプ５と保持体８との間（外部電極蛍光ランプ５の背面側）で且つ保持体６の前面に固定されている。
【００２４】
保持体８の長手方向の両端部には、コード通し開口１５がそれぞれ形成され、このコード通し開口１５にソケット７から延設されたコード１６が挿通されて保持体８の背面側に配設されている、なお、このコード１６は保持体８の背面側に設けられたインバータ（図示省略）に接続される。
【００２５】
保持体８の長手方向両縁には、取付片８ａが背面側に屈曲形成され、この取付片８ａに、カバー１１の端部開口１１ａを閉塞するための略円形板状の閉塞蓋１７が、ビス１８で固定されている。
【００２６】
前記エンドキャップ３は、図５〜図８に示すように側面視が非円形である正多角形（例えば正８角形）の形状を呈し、カバー３の両端部にそれぞれ外嵌装着される。エンドキャップ３は、平坦な面を有する第１〜第８周壁部３０ａ〜３０ｈと、周壁部３０ａ〜３０ｈの一端を閉塞する蓋部３１とからなり、その内接円の直径がカバー１１の外周の直径と略等しくなっている。具体的には、図７（ａ）に示す上面側の周壁部を第１周壁部３０ａとして時計周りに第２周壁部３０ｂ、第２周壁部３０ｃ・・・第８周壁部３０ｈとする。
【００２７】
第１周壁部３０ａ、第４周壁部３０ｄ、第６周壁部３０ｆおよび蓋部３１には、開口３２ａ〜３２ｄがそれぞれ形成されている。そして、所定の開口３２ａ〜３２ｄからインバータに接続されたコード２０が適宜出されている。なお、このコード２０は、図示省略の電源側に接続されるもので、図１においては、蓋部３１の開口３２ｄから外部に出されている。
【００２８】
各第１〜第８周壁部３０ａ〜３０ｈの内面には、係止用の凸部３３が長手方向に突設されている。また、カバー１１の直径方向の外面には、被係止用溝１１ｂ、１１ｂがカバー１１の長手方向に形成されており、互いに対向する係止用の凸部３３，３３を、前記被係止用溝１１ｂ、１１ｂに着脱自在に嵌合させることにより、エンドキャップ３に対して照明装置本体２を任意の回転位置で固定させることができる。なお、ここで、係止用の凸部３３と被係止用溝１１ｂ、１１ｂとにより、照射光の配光調整が可能なように前記照明装置本体２とエンドキャップ３とを所定の相対位置で解除自在に固定する調整手段が構成されている。
【００２９】
また、図４、図６および図７（ｃ）に示すように、エンドキャップ３の内面で且つ蓋部３１側には、エンドキャップ３の嵌合代を決定するストッパ部３７が設けられている。従って、エンドキャップ３の略半分が、カバー１１に外嵌されるようになっており、蓋部３１とカバー１１との間には間隔Ｌが設けられている。
【００３０】
第５周壁部３０ｅには、取付用開口３５が形成されている。この取付用開口３５は、前記第１周壁部３０ａに形成されている開口３２ａと対向して形成されている。
【００３１】
次に、前記構成からなる照明装置１を、図８に示すように、床や机等の載置面４０に載置して使用する場合について説明する。かかる照明装置１を所望する回転位置に転がすと、外部電極蛍光ランプ５および反射板１０等の構成部品がカバー１１とともに一体的に回転し、エンドキャップ３，３の所定の周壁部３０ａ〜３０ｈを接触させて停止できるため、真上照射する状態（図８（ａ）参照）、４５度上方を照射する状態（図８（ｂ）参照）および真横を照射する状態（図８（ｃ）参照）を選択することができ、配光の調整が簡単にできる。
【００３２】
また、天井や壁面等の被取付面に取り付ける場合について説明する。図９に示すようにエンドキャップ３の第５周壁部３０ｅを、照射方向と反対の背面側に位置させておき、第５周壁部３０ｅを被取付面に接触させる。なお、照明装置１を被取付面に取り付ける場合には、第５周壁部３０ｅの取付用開口３５に固定具としてのねじ３６が挿通されている。
【００３３】
さらに、工具としてのドライバー３８を第１周壁部３０ａの開口３２ａからエンドキャップ３内に通し、前記ねじ３６を締結するとともに、コード２０の接続端子を電源側に接続する。このような作業は、両方のエンドキャップ３，３について行ない、照明装置１を被取付面に取り付けることができる（図１０参照）。このように、照明装置１を被取付面に取り付けるに際しては、ドライバー３８を第１周壁部３０ａの開口３２ａからエンドキャップ３の間隔Ｌを通してねじ３６を締結でき、照明装置１の取り付けを容易且つ迅速に行なうことができる。
【００３４】
配光を調整する場合には、照明装置本体２を被取付面に固定されたエンドキャップ３、３に対して回転させる。このとき、被係止用溝１１ｂ、１１ｂに嵌合されている係止用の凸部３３は、弾性力に効して被係止用溝１１ｂ、１１ｂとの係合が解除され、カバー１１の周面を摺動し、エンドキャップ３，３に対してカバー１１の回転が許容される。
【００３５】
さらに、カバー１１を回転させると、前記係止用の凸部３３とは別の係止用の凸部３３に、被係止用溝１１ｂ、１１ｂ、がそれぞれ係合することとなり、照明装置本体２を所定位置で停止させることができる。
【００３６】
本発明は、前記実施の形態に限定されるものではない。例えば、図１１にＡ〜Ｄ示すように、コード２０は、適宜任意の開口３２ａ等から出して使用することができる。
【００３７】
また、図１２に示すように、保持体８に２個のソケット固定バネ１２、１２を併設し、２本の外部電極蛍光ランプ５を設けることも可能である。
【図面の簡単な説明】
【００３８】
【図１】本発明の照明装置の分解図である。
【図２】同照明装置の全体を示す斜視図である。
【図３】同照明装置の要部を示す断面側面図である。
【図４】同照明装置の要部を示す断面正面図である。
【図５】図３のＡ−Ａ線断面図である。
【図６】エンドキャップおよびカバーの一部を示す斜視図である。
【図７】エンドキャップを示し、（ａ）は側面図、（ｂ）は底面図、（ｃ）は内部示す図である。
【図８】（ａ）、（ｂ）および（ｃ）は、本発明の照明装置の任意の回転角度位置をそれぞれ示す断面図である。
【図９】本発明の照明装置を取り付ける状態を示す斜視図である。
【図１０】同照明装置を示す正面図である。
【図１１】同照明装置のコードの取り出し部を示す正面図である。
【図１２】図５に対応する他の実施形態の断面図である。
【図１３】従来例を示す分解斜視図である。
【図１４】同側面図である。
【図１５】同全体斜視図である。
【符号の説明】
【００３９】
１      照明装置
２      照明装置本体
３      エンドキャップ
２      外部電極蛍光ランプ（ＥＥＦＬ）
７      ソケット
８      保持体
１０    反射板
１１    カバー
１２    ソケット固定バネ
１５    コード通し開口１５
１６    コード
１７    閉塞蓋
２０    コード
３０ａ〜３０ｈ    周壁部（面）
３６    ねじ（固定具）
３８    ドライバー（工具）
４０    載置面
【図１】
2008251231.tif 000003
【図２】
2008251231.tif 000004
【図３】
2008251231.tif 000005
【図４】
2008251231.tif 000006
【図５】
2008251231.tif 000007
【図６】
2008251231.tif 000008
【図７】
2008251231.tif 000009
【図８】
2008251231.tif 000010
【図９】
2008251231.tif 000011
【図１０】
2008251231.tif 000012
【図１１】
2008251231.tif 000013
【図１２】
2008251231.tif 000014
【図１３】
2008251231.tif 000015
【図１４】
2008251231.tif 000016
【図１５】
2008251231.tif 000017